(57)【要約】      （修正有）【課題】ユニット式の浴室へのリフォーム工事が既存窓のままで短時間で精度良く作業を行うことが出来、水密性を保ち易く漏水等が発生し難い開口枠の取付構造を提供する。【解決手段】既存窓面を覆うオフセット枠体７と、浴室ユニット４の開口可能領域内に存在し開口部５の周縁部４ａの位置と一部が一致する既存窓枠６と、オフセット枠体７と、浴室ユニット４の開口部５の周縁部４ａとに跨って取り付けられた開口枠８とを有し、オフセット枠体７の一方の起立片７ａは既存窓枠６の開口枠固定片６ａに抱き合わされて固定され、オフセット枠体７の他方の起立片７ｂは既存窓枠６の開口枠固定片６ａと同一形状で、開口部５の周縁部４ａの位置と一致し、浴室ユニット４の開口可能領域内に存在し開口部５の周縁部４ａの位置と一部が一致する既存窓枠６の開口枠固定片６ａと開口枠８の周縁に沿って連続し、該開口枠固定片６ａと共に開口枠８を固定する構成とした。【選択図】図２
2007231664.tif 000002
【特許請求の範囲】
【請求項１】
外壁面に備えた既存窓の一部が新設する浴室ユニットの開口可能領域外に位置する場合の開口部周縁に取り付ける開口枠の取付構造であって、
前記浴室ユニットの開口可能領域内に存在し前記開口部周縁位置と一部が一致する既存窓枠と、
前記浴室ユニットの開口可能領域外にある既存窓枠に取り付けられ、該開口可能領域外の既存窓面を覆う断面コ字形状のオフセット枠体と、
前記浴室ユニットの開口可能領域内に存在し前記開口部周縁位置と一部が一致する既存窓枠と、前記オフセット枠体と、前記浴室ユニットの開口部の周縁部とに跨って取り付けた開口枠と、
を有し、
前記オフセット枠体の一方の起立片は、前記既存窓枠の開口枠固定片に抱き合わされて固定され、
前記オフセット枠体の他方の起立片は、前記既存窓枠の開口枠固定片と同一形状で、前記開口部周縁位置と一致し、前記浴室ユニットの開口可能領域内に存在し前記開口部周縁位置と一部が一致する既存窓枠の開口枠固定片と前記開口枠の周縁に沿って連続し、該開口枠固定片と共に前記開口枠を固定したことを特徴とする開口枠の取付構造。
【発明の詳細な説明】
【技術分野】
【０００１】
本発明は、外壁面に備えた既存窓の一部が新設する浴室ユニットの開口可能領域外に位置する場合の開口部周縁に取り付ける開口枠の取付構造に関するものである。
【背景技術】
【０００２】
近年の住宅の浴室のリフォーム工事においては、工期の短縮化や水密性や断熱性の向上のためにタイル等の湿式工法で施工された在来浴室からユニット式の浴室へ変更することが多い。しかし、ユニット式の浴室の場合は一般的に建築工事で行う間仕切壁や天井の内側に浴室ユニットを設置するように寸法が設定されているため、設置出来る窓の大きさに制約が生じる。
【０００３】
例えば、モジュール寸法で１８２cm（一間）四方の空間では、在来浴室の場合は壁厚を１２cm程度に設定し内側寸法で１７０cm四方程度の空間が確保出来るのに対してユニット式浴室の場合は内側寸法で１６０cm四方程度になる。また、浴室ユニットの強度を確保するため、コーナー部（壁パネル同士の入り隅部）からある程度間隔をとって開口部（窓）を設けなければならないことも多い。
【０００４】
従って、在来浴室の場合には、コーナー部に接して窓を設置することが可能であったとしてもユニット式浴室の場合はそれが不可能となることが多い。また、高さ方向についても、在来浴室の場合は浴槽や天井高さが比較的自由に設定出来、その範囲内で窓の大きさも自由に設定出来るのに対して、ユニット式浴室は浴槽や天井高さが規格化されているため窓位置の設定の自由度が低い。
【０００５】
このため、在来浴室をユニット式の浴室に変更する場合、浴室ユニットが既存の窓位置に対応出来ず、窓位置をずらすか、窓を小さなサイズに変更するという大掛かりな工事を伴うことが多かった。
【０００６】
上記問題を解決する技術として、特開２００３−１８４４３５号公報（特許文献１）には、リフォーム用窓枠の取付構造が提案されている。この技術によれば、縦連結部材(5)と横連結部材(6)と縁部材(7)と枠状のサッシ(12)とを組み合わせることにより既設の窓が設置された躯体を利用して既設の窓に手を加えることなく確実にリフォームすることが出来るとしている。
【０００７】
【特許文献１】特開２００３−１８４４３５号公報
【発明の開示】
【発明が解決しようとする課題】
【０００８】
しかしながら、前述の特許文献１の技術では、縦枠部や上枠部においては、縦連結部材(5)或いは横連結部材(6)と縁部材(7)と枠状のサッシ(12)の３部品で構成され、辺と枠状のサッシ(12)の辺の位置が一致する下枠部であっても横連結部材(6)と枠状のサッシ(12)の２部品が必要である。従って、部品構成が複雑であり、施工に手間がかかるという問題や全体の取付精度が低下する虞がある。また、浴室等の水密性能を求められる部位に適用した場合、接続部の水密性の確保にも手間がかかるという問題がある。更にユニット(2)の外面と窓枠連結部材(4)との間のスペースが狭くなり、ユニット(2)の外周面に断熱材を配置する際に作業性が悪いという問題もある。
【０００９】
本発明は前記課題を解決するものであり、その目的とするところは、在来浴室からユニット式の浴室へのリフォーム工事が既存窓のままで短時間で精度良く作業を行うことが出来、水密性を保ち易く、開口枠まわりの断熱材の配置も確実かつ容易に出来る開口枠の取付構造を提供せんとするものである。
【課題を解決するための手段】
【００１０】
前記目的を達成するための本発明に係る開口枠の取付構造は、外壁面に備えた既存窓の一部が新設する浴室ユニットの開口可能領域外に位置する場合の開口部周縁に取り付ける開口枠の取付構造であって、前記浴室ユニットの開口可能領域内に存在し前記開口部周縁位置と一部が一致する既存窓枠と、前記浴室ユニットの開口可能領域外にある既存窓枠に取り付けられ、該開口可能領域外の既存窓面を覆う断面コ字形状のオフセット枠体と、前記浴室ユニットの開口可能領域内に存在し前記開口部周縁位置と一部が一致する既存窓枠と、前記オフセット枠体と、前記浴室ユニットの開口部の周縁部とに跨って取り付けた開口枠とを有し、前記オフセット枠体の一方の起立片は、前記既存窓枠の開口枠固定片に抱き合わされて固定され、前記オフセット枠体の他方の起立片は、前記既存窓枠の開口枠固定片と同一形状で、前記開口部周縁位置と一致し、前記浴室ユニットの開口可能領域内に存在し前記開口部周縁位置と一部が一致する既存窓枠の開口枠固定片と前記開口枠の周縁に沿って連続し、該開口枠固定片と共に前記開口枠を固定したことを特徴とする。
【発明の効果】
【００１１】
本発明に係る開口枠の取付構造によれば、既存窓枠の位置と浴室ユニットの開口部の開口可能領域とを一致させることが出来る部位においては開口枠のみで対応出来、既存窓枠の位置と浴室ユニットの開口部の開口可能領域とを一致させることが出来ない部位であっても単一の部材であるオフセット枠体を追加するだけで浴室ユニットの開口部に対応する開口枠を取り付けることが出来る。これにより、短時間で精度良く施工を行うことが出来る。また、部材同士の接続部分が少なく水密性を保ち易いので漏水等が発生し難い。さらに、開口部まわりの断熱材の配置に障害となる突出部分もないので断熱材が容易且つ隙間なく配置出来る。
【発明を実施するための最良の形態】
【００１２】
図により本発明に係る開口枠の取付構造の一実施形態を具体的に説明する。図１は本発明に係る開口枠の取付構造を説明する分解斜視図、図２は本発明に係る開口枠の取付構造を示す横断面説明図である。
【００１３】
図１〜図３において、１は外壁面２に備えた既存窓３の一部が新設する浴室ユニット４の開口可能領域外に位置する場合の開口部５の周縁部４ａに取り付ける開口枠８の取付構造であり、浴室ユニット４の開口可能領域内に存在し開口部５の周縁部４ａの位置と一部が一致する既存窓枠６と、浴室ユニット４の開口可能領域外にある既存窓枠６に取り付けられ、該開口可能領域外の既存窓面を覆う断面コ字形状のオフセット枠体７と、浴室ユニット４の開口可能領域内に存在し開口部５の周縁部４ａの位置と一部が一致する既存窓枠６と、オフセット枠体７と、浴室ユニット４の開口部５の周縁部４ａとに跨って取り付けられた開口枠８とを有して構成されている。
【００１４】
図２に示すように、既存窓枠６は室内方向に向って連続的に突出した開口枠固定片６ａを備えている。開口枠固定片６ａは板状であり、皿ビス等の固定具で開口枠８を固定するための孔が複数穿たれている。オフセット枠体７の一方の起立片７ａには開口枠固定片６ａのビス孔位置に対応した位置に孔が穿たれており、既存窓枠６の開口枠固定片６ａに夫々の孔の位置を対応させた状態で抱き合わされて図示しない固定具により固定される。オフセット枠体７の他方の起立片７ｂは既存窓枠６の開口枠固定片６ａと同一形状であり、皿ビス等の固定具で開口枠８を固定するための複数の孔が穿たれ、既存窓枠６の開口枠固定片６ａに固定された状態においてあたかも既存窓枠６の開口枠固定片６ａが内側にオフセット（平行移動）したかのように構成される。
【００１５】
また、オフセット枠体７の他方の起立片７ｂは、開口部５の周縁部４ａの位置と一致し、浴室ユニット４の開口可能領域内に存在し開口部５の周縁部４ａの位置と一部が一致する既存窓枠６の開口枠固定片６ａと開口枠８の周縁に沿って連続し、該開口枠固定片６ａと共に開口枠８を図示しない固定具により固定する。浴室ユニット４の外周面には断熱材９が配置される。
【００１６】
尚、オフセット枠体７は既存窓枠６の上下左右何れの位置にも配置することが出来、それらの位置に複数配置することも出来る。また、既存窓枠６の隣接する2辺にオフセット枠体７を配置する場合は、いずれか１辺にオフセット枠体７をその1辺の全長にわたって配置した後、他の1辺に配置したオフセット枠体７で開口可能領域外の既存窓３面のうち未被覆の領域を覆う。
【００１７】
上記構成によれば、既存窓枠６の位置と浴室ユニット４の開口可能領域とを一致させることが出来る部位においては開口枠８のみで対応出来、既存窓枠６の位置と浴室ユニット４の開口可能領域とを一致させることが出来ない部位であっても単一の部材であるオフセット枠体７を追加するだけで浴室ユニット４の開口部５に対応する開口枠８を取り付けることが出来る。これにより、短時間で精度良く施工を行うことが出来る。また、前述した特許文献１の技術と比較しても部材同士の接続部分が少ないので水密性を保ち易く、漏水等が発生し難く、図２に示すように、オフセット枠体７と浴室ユニット４の外周面との間に十分なスペースを確保出来るため断熱材９の配置も容易に出来る。
【産業上の利用可能性】
【００１８】
本発明の活用例として、外壁面に備えた既存窓の一部が新設する浴室ユニットの開口可能領域外に位置する場合の開口部周縁に取り付ける開口枠の取付構造に適用出来る。
【図面の簡単な説明】
【００１９】
【図１】本発明に係る開口枠の取付構造を説明する分解斜視図である。
【図２】本発明に係る開口枠の取付構造を示す横断面説明図である。
【符号の説明】
【００２０】
１…開口枠の取付構造
２…外壁面
３…既存窓
４…浴室ユニット
４ａ…周縁部
５…開口部
６…既存窓枠
６ａ…開口枠固定片
７…オフセット枠体
７ａ，７ｂ…起立片
８…開口枠
９…断熱材
【図１】
2007231664.tif 000003
【図２】
2007231664.tif 000004